(57)【要約】【課題】容易に開封若しくは解体ができる包装箱を提供すること。【解決手段】  相互に連結された対向する２対の側壁部分３と７及び５と９と、対向する少なくとも１対の側壁部分に連結された上側蓋部分３ａ，７ａと、対向する少なくとも１対の側壁部分に連結された下側蓋部分３ｂ，７ｂとを備えた包装箱材１において、各上側及び下側蓋部分の少なくとも一方の蓋部分の四隅のうち、側壁部分７と連結されていない側の角部に少なくとも１つの摘み部１５を設け、当該摘み部１５の厚さを他の部分より薄くした。【選択図】図４
2005059921.tif 000002
【特許請求の範囲】
【請求項１】
相互に連結された対向する２対の側壁部分と、対向する少なくとも１対の前記側壁部分に連結された上側蓋部分と、対向する少なくとも１対の前記側壁部分に連結された下側蓋部分とを備えた包装箱材において、
前記上側及び下側蓋部分の少なくとも一方の蓋部分の四隅のうち、前記側壁部分と連結されていない側の角部に少なくとも１つの摘み部を設け、当該摘み部の厚さを他の部分より薄くしたことを特徴とする包装箱材。
【請求項２】
相互に連結された対向する２対の側壁部分と、対向する少なくとも１対の前記側壁部分に連結された上側蓋部分と、対向する少なくとも１対の前記側壁部分に連結された下側蓋部分とを備えた包装箱材において、
前記上側及び下側蓋部分の少なくとも一方の蓋部分の四隅のうち、前記側壁部分と連結されていない側の角部に少なくとも１つの摘み部を形成すると共に、この摘み部に、前記角部の縁部に対して所定の角度を有する少なくとも１本の折線を形成したことを特徴とする包装箱材。
【請求項３】
相互に連結された対向する２対の側壁部分と、対向する少なくとも１対の前記側壁部分に連結された上側蓋部分と、対向する少なくとも１対の前記側壁部分に連結された下側蓋部分とを備えた包装箱材において、
前記上側及び下側蓋部分の少なくとも一方の蓋部分の四隅のうち、前記側壁部分と連結されていない側の角部に少なくとも１つの摘み部を設け、当該摘み部と他の部分との境界の少なくとも一端部に所定の切込みを形成して設けたことを特徴とする包装箱材。
【請求項４】
前記摘み部と他の部分との境界の少なくとも一端部に所定の切込みを形成したことを特徴とする請求項１又は２に記載の包装箱材。
【請求項５】
前記摘み部に、前記角部の縁部に対して所定の角度を有する少なくとも１本の折線を形成したことを特徴とする請求項１に記載の包装箱材。
【請求項６】
前記摘み部と他の部分との境界の少なくとも一端部に所定の切込みを形成して設けたことを特徴とする請求項５に記載の包装箱材。
【請求項７】
前記蓋部分における摘み部とその他の部分との境界に折線を形成したことを特徴とする請求項１，２，３，４，５又は６に記載の包装箱材。
【請求項８】
上記請求項１〜７のいずれかに記載した包装箱材を組み立てて形成したことを特徴とする包装箱。
【発明の詳細な説明】
【技術分野】
【０００１】
本発明は、包装箱材及びこれを用いた包装箱に係り、特に、ウイスキー、ビール、リキュールなどの酒類や、清涼飲料等の飲料用容器であって、円柱形の缶（ボトル缶を含む）や瓶（ペットボトルを含む）、更にはプラスチック材質の袋容器などを包装するための包装箱材及びこれを用いた包装箱に関する。
【背景技術】
【０００２】
近年、飲料需要の増大により、益々飲料用包装箱の必要性が増してきている。しかし、一方で、包装箱の解体時に内フラップと外フラップとの重なり部分を容易に剥がすことができないという問題点があった。従来、このような問題点を解決するために、解体を容易にする様々な方法が提案されていた。これらは、例えば、外フラップにミシン目を入れたり（特許文献１参照。）、或いは、包装箱に指入れ用の穴を設け、この穴に指を差し込んで包装箱を解体するものである（特許文献２参照）。更には、フラップの隅に折線を形成し、この折線に沿ってフラップを折曲げて、この部分を摘み易くすることによって、包装箱の開封を容易にするものもある。（特許文献３参照。）。
【０００３】
【特許文献１】特開２００２−１２２２０号公報（図３）
【特許文献２】特開平９−２９５６３４号公報（図１）
【特許文献３】特開２００３−４０２５５号公報（図３）
【発明の開示】
【発明が解決しようとする課題】
【０００４】
しかしながら、開封や解体を容易にするための従来の包装箱は、その構造が複雑であり、実際に組み立てる際に手間や費用がかかる等の理由から、大量には使用されていなかった。また、フラップにミシン目を入れた包装箱の場合、重量物を収容した時にミシン目が破れてしまう可能性がある。また、包装箱に穴を設ける場合には、この穴からほこりが入ったりする場合もある。更に、異物の混入の恐れもあるので、多くは採用されていない。また、フラップに折線を形成する従来例の場合、軽量物を収容するための薄いダンボール紙材等を用いる場合には問題となり難いが、包装箱材が厚い材料（５ｍｍ程度のダンボール紙材）などの場合、単純な折線だけでは容易に折り曲げることができないという問題がある。このような問題は、重量物を内部に収納するような、高い強度が求められる包装箱の場合に特に顕著である。
【課題を解決するための手段】
【０００５】
上記課題を解決するために、請求項１記載の発明は、相互に連結された対向する２対の側壁部分と、対向する少なくとも１対の前記側壁部分に連結された上側蓋部分と、対向する少なくとも１対の側壁部分に連結された下側蓋部分とを備えた包装箱材において、上側及び下側蓋部分の少なくとも一方の蓋部分の四隅のうち、側壁部分と連結されていない側の角部に少なくとも１つの摘み部を設け、当該摘み部の厚さを他の部分より薄くする、という構成を採っている。
また、請求項２記載の発明では、相互に連結された対向する２対の側壁部分と、対向する少なくとも１対の前記側壁部分に連結された上側蓋部分と、対向する少なくとも１対の前記側壁部分に連結された下側蓋部分とを備えた包装箱材において、上側及び下側蓋部分の少なくとも一方の蓋部分の四隅のうち、側壁部分と連結されていない側の角部に少なくとも１つの摘み部を形成すると共に、この摘み部に、角部の縁部に対して所定の角度を有する少なくとも１本の折線を形成する、という構成を採っている。
請求項３記載の発明では、相互に連結された対向する２対の側壁部分と、対向する少なくとも１対の側壁部分に連結された上側蓋部分と、対向する少なくとも１対の側壁部分に連結された下側蓋部分とを備えた包装箱材において、上側及び下側蓋部分の少なくとも一方の蓋部分の四隅のうち、側壁部分と連結されていない側の角部に少なくとも１つの摘み部を設け、当該摘み部と他の部分との境界の少なくとも一端部に所定の切込みを形成して設ける、という構成を採っている。
【０００６】
請求項４の発明では、請求項１又は２に記載の発明の構成に加え、摘み部と他の部分との境界の少なくとも一端部に所定の切込みを形成する、という構成を採っている。
請求項５の発明では、請求項１に記載の発明の構成に加え、摘み部に、角部の縁部に対して所定の角度を有する少なくとも１本の折線を形成する、という構成を採っている。
請求項６の発明では、請求項５に記載の発明の構成に加え、摘み部と他の部分との境界の少なくとも一端部に所定の切込みを形成する、という構成を採っている。
請求項７の発明では、請求項１，２，３，４，５又は６に記載の発明の構成に加え、蓋部分における摘み部とその他の部分との境界に折線を形成する、という構成を採っている。
さらに、請求項８の発明では、上記請求項１〜７のいずれかに記載した包装箱材を組み立てて包装箱を形成する、という構成を採っている。
【発明の効果】
【０００７】
請求項１の発明に係る包装箱材によれば、蓋部材の間に所定の隙間が形成されるため、指を挿入し易く、摘み部を容易に摘むことができる包装箱を形成することができる。
請求項２の発明に係る包装箱材によれば、摘み部が二つ折りにされるため、摘み部を容易に摘むことができる包装箱を形成することができる。
請求項３の発明に係る包装箱材によれば、摘み部が切込みによって折線で確実に折り曲げられる包装箱を形成することができる。
【０００８】
請求項４の発明に係る包装箱材によれば、請求項１又は２の発明の効果に加え、切込みの位置で正確に摘み部を折り曲げることができる包装箱を形成することができる。
請求項５の発明に係る包装箱材によれば、請求項１の発明の効果に加え、摘み部が二つ折りにされるため、摘み部を容易に摘むことができる包装箱を形成することができる。
請求項６の発明に係る包装箱材によれば、請求項５の発明の効果に加え、切込みの位置で正確に摘み部を折り曲げることができる包装箱を形成することができる。
請求項７の発明に係る包装箱材によれば、請求項１，２，３，４，５又は６の発明の効果に加え、摘み部がより折り曲げやすい包装箱を形成することができる。
更に、請求項８に係る包装箱によれば、複雑な構造を採ることなく、重量物用の高強度の材料からなる包装箱でも容易に開封でき又は解体することができる。
【発明を実施するための最良の形態】
【０００９】
本発明の一実施形態について図面を参照しつつ説明する。
図１は、本実施形態に係る包装箱材１の展開図を示している。この図に示すように、包装箱材１は四角形の４枚の側壁部分３，５，７，９と、４枚の上側蓋部分３ａ，５ａ，７ａ，９ａと、更に４枚の下側蓋部分３ｂ，５ｂ，７ｂ，９ｂとから構成されている。また、側壁部分７の端部には側壁部分９と連結するための連結部分７ｃが設けられている。
包装箱材１を包装箱として組み立てる場合には、図中の点線で折り曲げると共に連結部材７ｃで立方体を形作り、下側蓋部分３ｂ，５ｂ，７ｂ，９ｂで底面を封止する。ここで、包装箱材の材料は、例えばダンボール紙などが用いられるが、これに限定される訳ではなく、別の厚紙材やプラスチック材などでもよい。
【００１０】
本発明の包装箱材１の各構成要素について以下により詳しく説明する。各側壁部分３，５，７は順に連結されており、側壁部分９は側壁部分３に連結されている。各側壁部分３，５，７，９の高さは、箱状体を形成するためにすべてほぼ同等となっている。そして、包装箱材１が組み立てられて立方体となった場合、各側壁部分３，５，７，９のうち、一対の側壁部分３と７が相互に対向し、一対の側壁部分５と９が相互に対向するようになっている。従って、相互に対向する一対の側壁部分３と７及び５と９は、それぞれほぼ同一の形状及び大きさとなっている。但し、本実施形態では、後述するように上側蓋部分７ａ及び下側蓋部分７ｂが最後に封止されるので、側壁部分７の高さは側壁部分３の高さより僅かに高くなっている。尚、各側壁部分３，５，７，９は、１枚の材料から切り出して各境界線（図中の点線）で折り曲げられるようになっている。
【００１１】
また、各側壁部分３，５，７，９の上部にはそれぞれ上側蓋部分３ａ，５ａ，７ａ，９ａが連結されている。各上側蓋部分３ａ，５ａ，７ａ，９ａは、対応する側壁部分３，５，７，９とほぼ同等の幅を有しており、側壁部分３，５，７，９との境界線（点線）で折れ曲がるようになっている。上側蓋部分３ａ，５ａ，７ａ，９ａの高さは自由に選択することが可能であるが、本実施形態では、側壁部分３及び７に連結されている上側蓋部分３ａ，７ａは、後述する包装箱１Ａの上面をそれぞれ封止できるように、側壁部分５の幅W程度に設定されている。但し、本発明はこれに限定されるものではなく、各上側蓋部分３ａ，７ａの高さをWの半分程度として、これら２枚の上側蓋部分３ａ，７ａで封止するようにしてもよい。更には、各上側蓋部分３ａ，７ａの高さをWの長さより低くWの半分より高く設定することにより、２枚の上側蓋部分３ａ，７ａが部分的に重なり合うようにして封止してもよい。尚、各上側蓋部分３ａ，５ａ，７ａ，９ａは、対応する側壁部分３，５，７，９と一体的に材料から切り出して各境界線で折り曲げるようになっている。また、上側蓋部分３ａ，７ａがあれば包装箱の上面を封止できるので、上側蓋部分５ａ，９ａは本発明に必須のものではない。尚、上側蓋部分３ａ，５ａ，７ａ，９ａは四角形であることが望ましいが、他の形状であってもよい。
【００１２】
更に、各側壁部分３，５，７，９の下方には、それぞれ下側蓋部分３ｂ，５ｂ，７ｂ，９ｂが連結されている。各下側蓋部分３ｂ，５ｂ，７ｂ，９ｂは、上側蓋部分３ａ，５ａ，７ａ，９ａとほぼ同様な形状及び大きさを有しており、包装箱の底面を封止できるようになっている。尚、上側蓋部分３ａ，５ａ，７ａ，９ａの場合と同様に、下側蓋部分３ｂ，７ｂがあれば包装箱を封止できるので、下側蓋部分５ｂ，９ｂは無くてもよい。尚、図では下側蓋部分９ｂの一部を切欠いているが、これは包装箱材１に用いたダンボール紙材の内部の方向を示している。尚、下側蓋部分３ｂ，５ｂ，７ｂ，９ｂは四角形であることが望ましいが、他の形状であってもよい。
【００１３】
また、包装箱材１の上側蓋部分７ａ及び下側蓋部分７ｂには、所定の摘み部１５，１７が形成されている。本実施形態では、上側蓋部分７ａの上側の左右両端（側壁部分７に連結されていない側の角部）に２つの摘み部１５が形成され、下側蓋部分７ｂの下側の左右両端にも２つの摘み部１７が形成されている。各摘み部１５，１７は折線１５ａ，１７ａを境界線として三角形の形状をしており、すべて同一の構造である。摘み部１５，１７の具体的な構造については後述する。
【００１４】
次に、上記包装箱材１を用いて組み立てられた包装箱１Ａについて、図２を参照して説明する。図２は本実施形態に係る包装箱１Ａを示す斜視図であり、上面は封止されていない状態を示している。この図では、包装箱１Ａを構成する部材には厚みが無いように示されているが、上記したように、包装箱１Ａはダンボール紙材などで構成されているので、所定の厚みを有することは言うまでもない。
包装箱１Ａは組み立てられると、下面が下側蓋部分３ｂ，５ｂ，７ｂ，９ｂ（図１参照）によって封止される。そしてこの包装箱１Ａは、本実施形態では、缶や瓶あるいはプラスチック材の袋容器などを包装するものとなる。包装箱１Ａの側面は、上記したように、対向する２対の側壁部分３と７及び５と９とで構成される。図では、上側蓋部分３ａ，５ａ，７ａ，９ａが開放されているが、実際に商品等を包装する場合には、これらの上側蓋部分３ａ，５ａ，７ａ，９ａで封止して、略六面体形状とする。
【００１５】
包装箱１Ａの上面を封止するには、先ず、上側蓋部分５ａ及び９ａを折曲げ（図中の矢印(1)、(2)）、次に、上側蓋部分３ａを折り曲げる（図中の矢印(3)）。そして最後に、上側蓋部分７ａを折り曲げて（図中の矢印(4)）、これを上側蓋部分３ａに接着する。但し、摘み部１５及び１７には接着剤等は塗布しないようにする。なぜなら、この部分は、後述するように、包装箱１Ａを解体する際に最初に摘む部分となるものであり、容易に折り曲げることができるようにするためである。
【００１６】
図３は、内部に被収容物が収容され、上側蓋部分７ａで上面が封止された状態の包装箱１Ａを示す斜視図である。この図に示すように、包装箱１Ａの上面の角部に２つの摘み部１５が位置している。また、図では示されていないが、包装箱１Ａの下面にも、下側蓋部分７ｂの摘み部１７が形成されている。但し、上側蓋部分７ａ若しくは下側蓋部分のいずれか一方の角部にのみ摘み部を設けるようにしてもよい。
本実施形態では、上側蓋部分７ａに２つの摘み部１５と、下側蓋部分７ｂに２つの摘み部１７の合計４つが形成されている。しかしながら、本発明はこれに限定されるものではなく、上側蓋部分７ａ又は下側蓋部分７ｂに少なくとも１つ形成されていればよい。もちろん、上側蓋部材７ａと下側蓋部分７ｂにそれぞれ１つずつ摘み部を形成するようにしてもよい。また、本実施形態では、摘み部１５，１７は直角二等辺三角形の形状となっているが、これは一例であり、指で摘むことができる形状であれば、直角二等辺三角形である必要はない。
【００１７】
次に、上側蓋部材７ａに形成された摘み部１５について詳述する。図４（Ａ）は、摘み部１５を拡大した斜視図である。この図に示すように、本実施形態の摘み部１５は、折線１５ａを境界線としてつぶされており、その厚みが他の部分と比較して薄くなっている。このような摘み部１５の構造は、ダンボール紙材などの材料から包装箱材を切り出す際に加工される。摘み部１５の厚さは、他の部分と比べて薄くなっていればよいので、特に限定されるものではないが、元の厚さの半分程度になっていれば指先を上側蓋部分３ａとの間に挿入し易い。また、摘み部１５の大きさも特に限定されるものではないが、摘み易さ等を考慮すると、例えば上側蓋部分７ａの角部からの距離Ｓが３ｃｍ程度の位置に折線１５ａを形成することが望ましい。また、折線１５ａは必ずしも直線である必要は無く、曲線であってもよい。尚、本実施形態では摘み部１５と他の部分との境界線に折線を形成しているが、本発明では折線を形成しなくてもよい。
【００１８】
次に、包装箱１Ａを開封若しくは解体する場合について説明する。上記したように、上側蓋部分７ａの摘み部１５はその厚さが他の部分と比べて薄くなっているので、上側蓋部分３ａとの間に所定の隙間ｄが形成される（図４（Ａ）参照）。摘み部１５と上側蓋部分３ａとの間に隙間ｄが形成されると、この隙間ｄに指先を挿入することが可能となる。従って、包装箱１Ａを開封若しくは解体する際に、この摘み部１５を容易に摘むことができる。
摘み部１５を摘んで上方に引き上げると、図４（Ｂ）に示すように、この摘み部１５は折線１５ａに沿って折れ曲がる。このため、確実に摘み部１５を把持することができる。そして、更にこの摘み部１５を引き上げることで、接着剤の接着力に抗して上側蓋部分７ａを上側蓋部分３ａから剥離させることができる。このように、容易に上側蓋部分７ａを開封することができるので、内部に収容されている飲料用缶や瓶などを容易に取り出すことができ、また、プラスチック材からなる袋容器の飲料容器が空になった後、これを廃棄する際にも容易にこの袋容器を取り出すこともできる。そして、使用された後の包装箱１Ａは、下側蓋部材７ｂも同様に剥離され、薄く折り畳むことができるようになる。
【００１９】
次に、図５に基づいて、本発明の第２の実施形態について説明する。この第２の実施形態に係る包装箱１Ｂでは、摘み部１９に２本の折線１９ａ，１９ｂが形成されている点が特徴である。即ち、摘み部１９には、他の部分との境界線の位置に第１の実施形態と同様な折線１９ａが形成されている。そして、この折線１９ａの中点から上側蓋部分７ａの角部に向かってもう１本の折線１９ｂが形成されている。そして、折線１９ａと折線１９ｂとは、相互に略直角となっている。
このように形成された摘み部１９の機能について説明すると、先ず、折線１９ａに沿って摘み部１９を折り曲げる。次に、摘み部１９を折線１９ｂに沿って谷折りする。これにより、厚みの為、摘みにくかった摘み部が指先のふくらみにうまくフィットして、より力を入れて摘みながら蓋部分間の接着を剥離することができるようになる。尚、折線１９ｂは、上記したように、摘み部１９を摘み易くすることが目的であるので、図５に示すものに限定されるものではなく、例えば、摘み部１９を折線１９ｂに沿って重ね合わせてもよいし、折線１９ｂに平行な方向に複数の折線を設けるようにしてもよい。
【００２０】
次に、図６及び図７に基づいて、本発明の第３の実施形態について説明する。この第３の実施形態に係る包装箱１Ｃは、摘み部２１の折線２１ａ線の両端部に切込み２１ｂが形成されている点が特徴である。即ち、摘み部２１を形成するための折線２１ａの両端部に三角形状の切込み２１ｂが形成されている。切込み２１ｂの一辺は、折線２１ａの延長線上に位置している。このような切込み２１ｂは、材料から包装箱材を切り出す際に同時に形成することが可能である。
切込み２１ｂが形成された摘み部２１を折り曲げようとすると、切込み２１と折線２１ａを結ぶ直線に沿った位置の強度は他の部分の強度と比較して低いので、確実に折線２１ａに沿って摘み部２１を折り曲げることができる。仮に、折線２１ａが形成されていなくても、各切込み２１ｂを結ぶ線に沿って折り曲げることも可能となる。また、折線２１ａの両端部ではなく、一端部にのみ切込みを形成するようにしてもよい。尚、図７に示すように、本実施形態の切込み２１ｂの形状は三角形であるが、本発明はこれに限定されるものではない。例えば、三角形ではなく、半円形状の切欠きや折曲げ線２１ａに沿って細い切れ目からなる切込みを入れても同様の効果を得ることは可能である。
以上、それぞれ摘み部が薄く形成された実施形態、蓋部分の角部に形成された折線を有する実施形態及び切込みを有する実施形態について説明した。しかし本発明はこれに限定されるものではなく、これらを任意に組み合わせた包装箱にしてもよい。
【００２１】
本発明の包装箱は、特に、約9.5リットル（2.5(米)ガロン）入りのバグインボックスタイプ（内部にプラスチック材の袋容器を収容したもの）の包装箱として最適であり、カップ式飲料自動販売機などに用いられる。また、包装箱は様々な容量の飲料容器に適応できるが、特に物流面での観点から、包装箱の大きさは、既存の大きさの包装箱（例えば、350ml又は500mlのペットボトルや缶、２４本分の大きさ）と同等とすることが望ましい。しかしながら、250mlから500ml程度の容量の容器を４〜２４本程度までは十分に適用可能である。もちろん、様々な容量で２４本以上の場合にも対応することは可能である。
また、包装箱を構成する材料はダンボール紙のような厚紙材が用いられることが多い。その厚さは、内容物が350mlから500ml入りの飲料の場合、3〜5mm程度のものを用いる。また、500mlより多い容量の飲料の場合には、更に厚いものを用いるのが望ましい。しかしながら、それ以外の材質を強度を考慮した上で用いることも可能である。
【産業上の利用可能性】
【００２２】
様々なものを包装できる包装箱であって、開封及び解体がされる包装箱に適用できる。
【図面の簡単な説明】
【００２３】
【図１】本発明の包装箱材の展開図を示す。
【図２】図１に開示した包装箱材から形成された包装箱を示す概略斜視図であり、上面が封止される前の状態を示す。
【図３】図２に開示した包装箱を封止した状態を示す概略斜視図を示す。
【図４】図３に開示した包装箱の摘み部を拡大した斜視図を示し、図４（Ａ）は摘み部を折り曲げる前の状態を示し、図４（Ｂ）は折り曲げた後の状態を示す。
【図５】本発明の他の実施形態に係る包装箱材の摘み部を拡大した斜視図を示す。
【図６】本発明の更に他の実施形態に係る包装箱材の摘み部を拡大した斜視図を示す。
【図７】図６に開示した包装箱の部分展開図を示す。
【符号の説明】
【００２４】
１    包装箱材
１Ａ，１Ｂ，１Ｃ    包装箱
３，５，７，９    側壁部分
３ａ，５ａ，７ａ，９ａ    上側蓋部分
３ｂ，５ｂ，７ｂ，９ｂ    下側蓋部分
１５，１７    摘み部
１５ａ，１７ａ    折線
１９，２１    摘み部
１９ａ，１９ｂ，２１ａ    折線
２１ｂ    切込み
【図１】
2005059921.tif 000003
【図２】
2005059921.tif 000004
【図３】
2005059921.tif 000005
【図４】
2005059921.tif 000006
【図５】
2005059921.tif 000007
【図６】
2005059921.tif 000008
【図７】
2005059921.tif 000009